(57)【特許請求の範囲】
【請求項１】
凝縮器として機能する第１の熱交換器と、
前記第１の熱交換器に空気を供給する送風機と、
前記第１の熱交換器の凝縮温度を検出する凝縮温度センサーと、
設定風量を受け付ける風量設定部と、
前記風量設定部から送信される前記設定風量と前記凝縮温度センサーによって検出された凝縮温度とに基づいて前記送風機を制御する制御装置と、
を備え、
前記制御装置は、
暖房運転を実行しているときに前記凝縮温度が第１の温度未満の場合には、前記送風機の現在の設定回転数のまま前記送風機を運転し、
前記暖房運転を実行しているときに前記凝縮温度が予め定められた温度以上となった場合には、前記送風機の現在の設定回転数を、前記凝縮温度の大きさに応じて定められ、前記現在の設定回転数よりも小さい補正後回転数へ、低下させるように構成され、
前記暖房運転を実行しているときに前記凝縮温度が前記第１の温度以上であって前記第１の温度よりも高い第２の温度未満の場合には、前記補正後回転数に対応し、前記現在の設定回転数よりも低い第１の回転数で前記送風機を運転し、
前記設定風量が第１の設定風量である場合における前記第１の回転数よりも、前記設定風量が第１の設定風量よりも小さい第２の設定風量である場合における前記第１の回転数の方が小さく、
前記暖房運転を実行しているときに前記凝縮温度が前記第２の温度以上であって前記第２の温度よりも高い第３の温度未満の場合には、前記補正後回転数に対応し、前記第１の回転数よりも低い第２の回転数で前記送風機を運転し、
前記設定風量が第１の設定風量である場合における前記第２の回転数よりも、前記設定風量が前記第２の設定風量である場合における前記第２の回転数の方が小さい
空気調和装置の室内機。
【請求項２】
前記補正後回転数には、
複数の設定風量のうちの最小風量に対応する回転数よりも低い回転数が含まれる
請求項１に記載の空気調和装置の室内機。
【請求項３】
請求項１又は２に記載の空気調和装置の室内機と、
前記第１の熱交換器に接続され、前記第１の熱交換器から流出する冷媒を減圧する絞り装置と、
を備え、
前記制御装置は、
前記現在の設定回転数を前記補正後回転数へ低下させた場合には、前記絞り装置の開度を大きくするように構成されている
空気調和装置。
【請求項４】
前記制御装置は、
前記現在の設定回転数を前記補正後回転数へ低下させるタイミングで、前記絞り装置の開度を大きくする
請求項３に記載の空気調和装置。
【請求項５】
圧縮機と、
前記暖房運転を実行しているときに蒸発器として機能する第２の熱交換器と、
をさらに備え、
前記室内機は、複数設けられ、
各室内機には、前記絞り装置が接続されている
請求項３又は４に記載の空気調和装置。
【発明の詳細な説明】
【技術分野】
【０００１】
本発明は、空気調和装置の室内機及び空気調和装置に関するものである。
【背景技術】
【０００２】
従来から、室内温度に基づいて、圧縮機の回転数及び室内送風機の回転数を制御する空気調和装置が提案されている（例えば、特許文献１参照）。特許文献１に記載の空気調和装置は、室内温度が目標温度に到達すると、圧縮機の回転数及び室内送風機の回転数を低下させる。
【先行技術文献】
【特許文献】
【０００３】
【特許文献１】特開昭６０−１０８６３８号公報
【発明の概要】
【発明が解決しようとする課題】
【０００４】
暖房運転を実行しているときにおいて、室内機に搭載された熱交換器の凝縮温度が高いと、その分室内機から室内へ高温の空気が供給されることとなる。このような状況では、室内温度が目標温度を超え、必要以上に室内が暖まってしまい、空気調和装置の省エネルギー性が低下する場合がある。【０００５】
本発明は、上述のような課題を解決するためになされたものであり、省エネルギー性を向上させることができる空気調和装置の室内機及び空気調和装置を提供することを目的とする。
【課題を解決するための手段】
【０００６】
本発明に係る空気調和装置の室内機は、凝縮器として機能する第１の熱交換器と、第１の熱交換器に空気を供給する送風機と、第１の熱交換器の凝縮温度を検出する凝縮温度センサーと、設定風量を受け付ける風量設定部と、風量設定部から送信される設定風量と凝縮温度センサーによって検出された凝縮温度とに基づいて送風機を制御する制御装置と、を備え、制御装置は、暖房運転を実行しているときに凝縮温度が第１の温度未満の場合には、送風機の現在の設定回転数のまま送風機を運転し、暖房運転を実行しているときに凝縮温度が予め定められた温度以上となった場合には、送風機の現在の設定回転数を、凝縮温度の大きさに応じて定められ、現在の設定回転数よりも小さい補正後回転数へ、低下させるように構成され、暖房運転を実行しているときに凝縮温度が第１の温度以上であって第１の温度よりも高い第２の温度未満の場合には、補正後回転数に対応し、現在の設定回転数よりも低い第１の回転数で送風機を運転し、設定風量が第１の設定風量である場合における第１の回転数よりも、設定風量が第１の設定風量よりも小さい第２の設定風量である場合における第１の回転数の方が小さく、暖房運転を実行しているときに凝縮温度が第２の温度以上であって第２の温度よりも高い第３の温度未満の場合には、補正後回転数に対応し、第１の回転数よりも低い第２の回転数で送風機を運転し、設定風量が第１の設定風量である場合における第２の回転数よりも、設定風量が第２の設定風量である場合における第２の回転数の方が小さいものである。
【発明の効果】
【０００７】
本発明によれば、上記構成を備えているので、省エネルギー性を向上させることができる。
【図面の簡単な説明】
【０００８】
【図１】本実施の形態に係る室内機を備えた空気調和装置の冷媒回路の説明図である。
【図２Ａ】本実施の形態に係る室内機を備えた空気調和装置の制御装置の機能ブロック図である。
【図２Ｂ】第１の送風機に現在設定されている回転数を補正するときに用いるテーブルの説明図である。
【図３】本実施の形態に係る室内機を備えた空気調和装置の制御フローの説明図である。
【図４】室内温度の時間変化及び送風機の回転数の時間変化の説明図である。
【図５】図３に示す制御フローチャートの変形例である。
【図６】図１に示す冷媒回路の変形例である。
【発明を実施するための形態】
【０００９】
実施の形態．
本実施の形態に係る空気調和装置１００について説明する。
図１は、本実施の形態に係る空気調和装置１００の冷媒回路Ｃの説明図である。
【００１０】
［構成説明］
図１に示すように、空気調和装置１００は、冷媒を循環させる冷媒回路Ｃを含む。
また、空気調和装置１００は、室外機１０１と、室内機１０２とを含む。空気調和装置１００は、室外機１０１と室内機１０２とが分離している、いわゆるセパレート型の空気調和装置である。なお、室外機１０１と室内機１０２とは、冷媒配管Ｐ１及び冷媒配管Ｐ２を介して接続されている。また、室外機１０１には、冷媒配管Ｐ１及び冷媒配管Ｐ２が接続されるバルブＶａが設けられている。室内機１０２にも、冷媒配管Ｐ１及び冷媒配管Ｐ２が接続されるバルブＶａが設けられている。
【００１１】
冷媒回路Ｃは、圧縮機１、四方弁２、絞り装置４、第１の熱交換器５、第２の熱交換器３、冷媒配管Ｐ１及び冷媒配管Ｐ２を含む。また、空気調和装置１００は、第２の熱交換器３に付設される第２の送風機３Ａと、第１の熱交換器５に付設される第１の送風機５Ａとを含む。
室外機１０１には、圧縮機１、四方弁２、第２の熱交換器３、第２の送風機３Ａ及び絞り装置４が搭載されている。室内機１０２には、第１の熱交換器５及び第１の送風機５Ａが搭載されている。
【００１２】
空気調和装置１００は、室外機１０１及び室内機１０２を統括制御する制御装置５０を備えている。なお、図１では、制御装置５０が室内機１０２に搭載されているが、それに限定されるものではない。空気調和装置１００は、制御装置が室外機１０１及び室内機１０２にそれぞれ搭載され、これらの制御装置が通信する態様であってもよい。
【００１３】
空気調和装置１００は、室内機１０２に制御指令をする入力装置ＲＣを備えている。入力装置ＲＣは、リモートコントローラーとして機能するものである。空気調和装置１００は、冷媒回路Ｃの凝縮温度を検出する凝縮温度検出部Ｄ１と、室内温度を検出する室内温度検出部Ｄ２とを含む。
【００１４】
圧縮機１は、吸入した低圧冷媒を圧縮し、高圧冷媒として吐出する流体機械である。圧縮機１は、例えば、インバータにより回転数が制御される。圧縮機１は、高圧冷媒を吐出する冷媒吐出部と冷媒回路Ｃを循環して戻ってきた低圧冷媒を吸入する冷媒吸入部とを備えている。
【００１５】
四方弁２は、圧縮機１の冷媒吐出部と第２の熱交換器３とを連通し、且つ、圧縮機１の冷媒吸入部と第１の熱交換器５とを連通する第１の流路と、圧縮機１の冷媒吐出部と第１の熱交換器５とを連通し、且つ、圧縮機１の冷媒吸入部と第２の熱交換器３とを連通する第２の流路とを含む。四方弁２は制御装置５０によって、第１の流路と第２の流路とが選択的に切り替えられる。冷房運転時は四方弁２が第１の流路に切り替えられ、暖房運転時は四方弁２が第２の流路に切り替えられる。
【００１６】
絞り装置４は、例えば、開度を調節可能な電子膨張弁である。なお、絞り装置４はキャピラリーチューブ等の他の減圧手段を用いることもできる。
【００１７】
第１の熱交換器５は、例えば、内部を流通する冷媒と、第１の送風機５Ａにより送風される空気との熱交換を行う空冷式熱交換器として構成することができる。第１の熱交換器５は、フィンアンドチューブ型熱交換器として構成できる。第１の熱交換器５は、空気調和装置１００が冷房運転を実行している場合には蒸発器として機能し、暖房運転を実行している場合には凝縮器として機能する。第１の送風機５Ａは、図示省略の電動機と、電動機に回転させられるファンとを備えている。第１の送風機５Ａは、第１の熱交換器５に供給する空気の風量を可変に調整できるように、回転数が制御される。なお、第１の送風機５Ａの回転数とは第１の送風機５Ａのファン回転数である。本実施の形態において、第１の送風機５Ａに設定することができる回転数（風量）は少なくとも７つある（図２Ｂ参照）。
【００１８】
第２の熱交換器３は、例えば、内部を流通する冷媒と、第２の送風機３Ａにより送風される空気との熱交換を行う空冷式熱交換器として構成することができる。空冷式熱源側熱交換器は、例えば、伝熱管と複数のフィンとにより構成されたクロスフィン式のフィンアンドチューブ型熱交換器として構成できる。第２の熱交換器３は、空気調和装置１００が冷房運転を実行している場合には凝縮器（放熱器）として機能し、暖房運転を実行している場合には蒸発器として機能する。
【００１９】
制御装置５０は、圧縮機１、絞り装置４、第２の送風機３Ａ及び第１の送風機５Ａ等を統括制御する。制御装置５０は、凝縮温度検出部Ｄ１から送信される凝縮温度データ及び室内温度検出部Ｄ２から送信される室内温度データを取得する。制御装置５０に含まれる各機能部は、専用のハードウェア、またはメモリに格納されるプログラムを実行するＭＰＵ（Micro Processing Unit）で構成される。制御装置５０が専用のハードウェアである場合、制御装置５０は、例えば、単一回路、複合回路、ＡＳＩＣ（application specific integrated circuit）、ＦＰＧＡ（field-programmable gate array）、またはこれらを組み合わせたものが該当する。制御装置５０が実現する各機能部のそれぞれを、個別のハードウェアで実現してもよいし、各機能部を一つのハードウェアで実現してもよい。制御装置５０がＭＰＵの場合、制御装置５０が実行する各機能は、ソフトウェア、ファームウェア、またはソフトウェアとファームウェアとの組み合わせにより実現される。ソフトウェアやファームウェアはプログラムとして記述され、メモリに格納される。ＭＰＵは、メモリに格納されたプログラムを読み出して実行することにより、制御装置５０の各機能を実現する。メモリは、例えば、ＲＡＭ、ＲＯＭ、フラッシュメモリ、ＥＰＲＯＭ、ＥＥＰＲＯＭ等の、不揮発性または揮発性の半導体メモリである。
【００２０】
入力装置ＲＣは、例えば、暖房運転及び冷房運転の制御指令、室内機１０２から吹き出す空気の風量に係る制御指令、及び、室内の設定温度に係る制御指令を室内機１０２に送信することができるように構成されている。入力装置ＲＣは、室内機１０２に、有線で接続されていてもよいし、無線で接続されていてもよい。なお、入力装置ＲＣは、予め定められたアプリケーションを備えた携帯端末（例えば、携帯電話）で構成することもできる。
入力装置ＲＣは、設定風量を受け付ける風量設定部ＲＣ１と、室内設定温度を受け付ける室内温度設定部ＲＣ２と、各種運転モードを受け付ける運転モード設定部ＲＣ３とを備えている。運転モードには、暖房運転があり、その他に冷房運転があってもよい。風量設定部ＲＣ１、室内温度設定部ＲＣ２及び運転モード設定部ＲＣ３は、例えば、ユーザーが操作するボタン等で構成することができる。風量設定部ＲＣ１は、複数の風量を受け付けるように構成されている。本実施の形態では、制御装置５０には、第１の設定風量である風量大（Ｈｉ）と、第２の設定風量である風量中２（Ｍｉｄ２）と、第３の設定風量である風量中１（Ｍｉｄ１）と、第４の設定風量である風量小（Ｌｏ）との４段階の風量を設定することができる。風量大、風量中２、風量中１、及び、風量小の順番に風量が小さくなる。なお、設定風量は４段階に限定されるものではなく、１〜３段階でもよいし、５段階以上であってもよい。
【００２１】
凝縮温度検出部Ｄ１は、第１の凝縮温度センサーＳＥ１と、第２の凝縮温度センサーＳＥ３とを含む。第１の凝縮温度センサーＳＥ１及び第２の凝縮温度センサーＳＥ３は、サーミスタ等で構成することができる。第１の凝縮温度センサーＳＥ１は、室内機１０２に搭載された第１の熱交換器５に設けられている。第１の凝縮温度センサーＳＥ１は、第１の熱交換器５が放熱器として機能する暖房運転時において、冷媒の凝縮温度を検出する。一方、第２の凝縮温度センサーＳＥ３は、室外機１０１に搭載された第２の熱交換器３に設けられている。第２の凝縮温度センサーＳＥ３は、第２の熱交換器３が放熱器として機能する冷房運転時において、冷媒の凝縮温度を検出する。第１の凝縮温度センサーＳＥ１で検出された凝縮温度及び第２の凝縮温度センサーＳＥ３で検出された凝縮温度は、凝縮温度データとして、凝縮温度検出部Ｄ１から制御装置５０へ送信される。
室内温度検出部Ｄ２は、室内温度を検出する室内温度センサーＳＥ２を含む。室内温度検出部Ｄ２は、室内機１０２に設けられている。室内温度センサーＳＥ２は、第１の送風機５Ａの作用によって、室内機１０２内に取り込まれた空気の温度（室内温度）を検出する。室内温度センサーＳＥ２は、サーミスタ等で構成することができる。室内温度センサーＳＥ２で検出された室内温度は、室内温度データとして室内温度検出部Ｄ２から制御装置５０へ送信される。
【００２２】
［暖房運転及び冷房運転の動作説明］
冷房運転を行う場合には、圧縮機１によって圧縮された冷媒が高温高圧の冷媒となって四方弁２を通り第２の熱交換器３に供給される。第２の熱交換器３に供給された冷媒は、空気と熱交換して放熱して凝縮し、高圧の液冷媒となり、絞り装置４に供給される。絞り装置４に供給された冷媒は、減圧されて低温低圧の二相冷媒となり、冷媒配管Ｐ２を通り、室内機１０２の第１の熱交換器５に供給される。第１の熱交換器５に供給された冷媒は、室内の空気と熱交換して吸熱し、蒸発気化して低温のガス冷媒となる。このとき、室内の空気は冷媒に冷却される。そして、冷却された空気は、第１の送風機５Ａの作用によって室内機１０２の吹出口から室内に供給される。第１の熱交換器５を通過した冷媒は、冷媒配管Ｐ１を通り室外機１０１に戻り、四方弁２を通って圧縮機１に戻される。
【００２３】
暖房運転を行う場合には、圧縮機１によって圧縮された冷媒は高温高圧の冷媒となって四方弁２及び冷媒配管Ｐ１を通り室内機１０２の第１の熱交換器５に供給される。そして、第１の熱交換器５に供給された冷媒は、空気と熱交換して放熱して凝縮し、高圧の液冷媒となる。このとき、室内の空気は加熱される。加熱された空気は、第１の送風機５Ａの作用によって室内機１０２の吹出口から室内に供給される。第１の熱交換器５を通過した冷媒は、冷媒配管Ｐ２を通り室外機１０１に戻り、絞り装置４に供給される。絞り装置４に供給された冷媒は、減圧されて低温低圧の二相冷媒となり、第２の熱交換器３に供給される。第２の熱交換器３に供給された冷媒は、空気と熱交換して吸熱し、蒸発気化して低温のガス冷媒となる。そして、第２の熱交換器３を通過した冷媒は、四方弁２を通って圧縮機１に戻される。
【００２４】
［制御装置５０について］
図２Ａは、本実施の形態に係る空気調和装置１００の制御装置５０の機能ブロック図である。
図２Ｂは、第１の送風機５Ａに現在設定されている回転数を補正するときに用いるテーブルの説明図である。なお、図２Ｂに示す１〜７の数字は、第１の送風機５Ａの回転数の大小関係を示すものである。
【００２５】
制御装置５０は、判定部５０Ａ（各種の温度到達の判定）と、回転数補正部５０Ｂと、目標温度算出部５０Ｃと、出力制御装置５０Ｄと、記憶部５０Ｅとを備えている。なお、図示は省略しているが、制御装置５０は、タイマーを備えており、時間を計測する機能を有している。
【００２６】
（判定部５０Ａ）
判定部５０Ａは、室内温度検出部Ｄ２から送信される室内温度データに基づいて、室内が目標温度に到達したか否かを判定する。また、判定部５０Ａは、凝縮温度検出部Ｄ１から送信される凝縮温度データに基づいて、第１の送風機５Ａの回転数を補正するか否かを判定する。判定部５０Ａは、凝縮温度データによって特定される凝縮温度が、予め定められた温度以上である場合に補正をすると判定し、予め定められた温度未満である場合に補正をしないと判定する。
【００２７】
（回転数補正部５０Ｂ）
回転数補正部５０Ｂは、判定部５０Ａが第１の送風機５Ａの回転数を補正すると判定した場合に、第１の送風機５Ａの回転数の補正値（補正後回転数）を算出する。回転数補正部５０Ｂは、凝縮温度データによって特定される凝縮温度の大きさに応じて、補正後回転数を算出する。
【００２８】
回転数補正部５０Ｂは、図２Ｂに示すように、記憶部５０Ｅに格納された補正後回転数算出テーブルを用いて、補正後の回転数を算出する。なお、ここでは、補正後回転数算出テーブルを用いる態様について説明するが、予め定められた演算式を記憶部５０Ｅに記憶しておきこの演算式と、凝縮温度及び設定風量とに基づいて、補正後回転数を算出してもよい。
【００２９】
回転数補正部５０Ｂは、凝縮温度が大きさに応じて、補正後回転数を小さくするように構成されている。例えば、現在の設定風量が風量小（Ｌｏ）である場合においては次のような補正後回転数とする。ここで、風量小（Ｌｏ）に対応する回転数の大きさは４である。（１）回転数補正部５０Ｂは、凝縮温度が第１の温度Ｔ１未満である場合には、第１の送風機５Ａの設定回転数を、現在の設定回転数のままとすると決定する。（２）回転数補正部５０Ｂは、凝縮温度が第１の温度Ｔ１以上であって第２の温度Ｔ２未満である場合には、第１の送風機５Ａの設定回転数を、大きさ４である現在の設定回転数から、大きさ３である補正後回転数（第１の回転数）へ変更する決定する。（３）回転数補正部５０Ｂは、凝縮温度が第２の温度Ｔ２以上であって第３の温度Ｔ３未満である場合には、第１の送風機５Ａの設定回転数を、大きさ４である現在の設定回転数から、大きさ２である補正後回転数（第２の回転数）へ変更すると決定する。（４）回転数補正部５０Ｂは、凝縮温度が第３の温度Ｔ３以上である場合には、第１の送風機５Ａの設定回転数を、大きさ４である現在の設定回転数から、大きさ１である補正後回転数（第３の回転数）へ変更すると決定する。なお、現在の設定回転数、第１の回転数、第２の回転数及び第３の回転数の順番で大きさが小さい。このように凝縮温度が予め定められた温度（第１の温度Ｔ１）未満である場合には上記（１）のように回転数の補正がなされないが、凝縮温度が予め定められた温度（第１の温度Ｔ１）以上である場合には上記（２）〜（４）のように回転数の補正が行われ、第１の送風機５Ａの設定回転数が低下する。本実施の形態では、補正後回転数は３段階（第１の回転数、第２の回転数及び第３の回転数）に変更できるようになっている例を説明しているが、１段階でもよいし、２段階でもよいし、４段階以上でもよい。
【００３０】
また、回転数補正部５０Ｂは、入力装置ＲＣによって設定された第１の送風機５Ａの設定風量に応じて、補正後回転数を小さくするように構成されている。例えば、現在の設定風量が第１の設定風量である風量大（Ｈｉ）である場合においては、第１の送風機５Ａの第１の回転数が大きさ６であり、現在の設定風量が第２の設定風量である風量中２（Ｍｉｄ２）である場合においては第１の送風機５Ａの第１の回転数が大きさ５であり、現在の設定風量が第３の設定風量である風量中１（Ｍｉｄ１）である場合においては第１の送風機５Ａの第１の回転数が大きさ４であり、現在の設定風量が第４の設定風量である風量小（Ｌｏ）である場合においては第１の送風機５Ａの第１の回転数が大きさ３である。このように、入力装置ＲＣによって設定された第１の送風機５Ａの設定風量が小さくなる程、第１の回転数が小さくなっていく。同じように、第２の回転数及び第３の回転数も、設定風量が小さくなると、小さくなっていく。
【００３１】
ここで、補正後回転数には、複数の設定風量のうちの最小風量に対応する回転数よりも、低い回転数が含まれている。つまり、制御装置５０は、入力装置ＲＣで設定することができる設定風量としては最小である第４の設定風量よりも小さい風量で、第１の送風機５Ａを運転させることができる。制御装置５０及び第１の送風機５Ａは、設定風量としては最小である第４の設定風量に対応する回転数よりも、小さい回転数で運転することができるように構成されているということである。これにより、より確実に、第１の送風機５Ａの消費電力を抑えることができ、省エネルギー性を向上させることができる。ここで説明した回転数は、図２Ｂにおいて、大きさ１〜大きさ３の回転数に対応している。
【００３２】
（目標温度算出部５０Ｃ）
目標温度算出部５０Ｃは、入力装置ＲＣから送信される室内設定温度データに基づいて、室内の目標温度を算出する。目標温度は、通常、入力装置ＲＣで設定される設定温度と同等の温度である。ここで、例えばパワフル運転を実行するように入力装置ＲＣから設定されていると、目標温度は、入力装置ＲＣで設定される設定温度からずれた値となる。例えば、暖房運転及びパワフル運転を実行するように入力装置ＲＣから設定されている場合には、目標温度算出部５０Ｃは、目標温度として、設定温度よりも高い温度を算出する。これにより、現在の室内温度と目標温度との差が増大するため、空気調和装置１００は、より暖房能力が高い運転を実行することになる。例えば、制御装置５０は、圧縮機１の回転数を増大させることになる。
【００３３】
（出力制御装置５０Ｄ）
出力制御装置５０Ｄは、判定部５０Ａの判定結果、回転数補正部５０Ｂの算出結果、及び、記憶部５０Ｅに格納されたデータ等に基づいて、各種の機器を制御する。出力制御装置５０Ｄは、圧縮機１、絞り装置４、第２の送風機３Ａ及び第１の送風機５Ａの少なくとも一つを制御する。
【００３４】
（記憶部５０Ｅ）
記憶部５０Ｅには、各種のデータが格納される。例えば、記憶部５０Ｅは、凝縮温度データ及び室内温度データ等の各種データが格納されている。また、記憶部５０Ｅには、補正後回転数算出テーブルが格納されている。制御装置５０が補正後回転数算出テーブルの代わりに補正後回転数を算出する演算式を用いる場合には、記憶部５０Ｅには当該演算式が格納されている。
【００３５】
［制御フロー］
図３は、本実施の形態に係る空気調和装置１００の制御フローの説明図である。
図３を参照して、空気調和装置１００の制御フローの一例を説明する。この制御フローでは、暖房運転時を想定している。
【００３６】
目標温度算出部５０Ｃは、入力装置ＲＣから送信されるデータ（例えば、室内設定温度データ）に基づいて、目標温度を算出する（ステップＳ１）。制御装置５０は、室内温度を取得している。ここで、室内温度は、室内温度検出部Ｄ２から送信される室内温度データによって特定される。判定部５０Ａは、目標温度と室内温度とを比較する（ステップＳ３）。目標温度から室内温度を減算した値の絶対値が、予め定められた値以上である場合には制御装置５０はステップＳ３からステップＳ４−１に進み、予め定められた値未満である場合には制御装置５０はステップＳ３からステップＳ４−２に進む。
【００３７】
出力制御装置５０Ｄは、目標温度から室内温度を減算した値の絶対値が、予め定められた値以上であると判定された場合には、目標温度と室内温度との開きがあることから、圧縮機１の回転数を維持又は増加させる（ステップＳ４−１）。出力制御装置５０Ｄは、目標温度から室内温度を減算した値の絶対値が、予め定められた値未満であると判定された場合には、目標温度と室内温度との開き無い又は小さいことから、圧縮機１の回転数を低下させる（ステップＳ４−２）。
【００３８】
制御装置５０は、第１の熱交換器５の凝縮温度を取得している。ここで、凝縮温度は、凝縮温度検出部Ｄ１から送信される凝縮温度データによって特定される。判定部５０Ａは、第２の熱交換器の凝縮温度に基づいて、第１の送風機５Ａの現在の設定回転数を補正するか否かを判定する（ステップＳ６）。
【００３９】
制御装置５０は、第１の送風機５Ａの現在の設定回転数を補正すると判定した場合にはステップＳ７に進み、第１の送風機５Ａの現在の設定回転数を補正しないと判定した場合にはステップＳ１に戻る。回転数補正部５０Ｂは、第１の熱交換器５の凝縮温度と、第１の送風機５Ａの設定風量とに基づいて、補正後回転数を算出する（ステップＳ７）。出力制御装置５０Ｄは、補正後回転数で第１の送風機５Ａを運転する（ステップＳ８）。
【００４０】
［室内温度の時間変化及び送風機の回転数の時間変化］
図４は、室内温度の時間変化及び送風機の回転数の時間変化の説明図である。
図４（ａ）は、従来制御の室内温度の推移と、本実施の形態の室内温度の推移を示している。
図４（ｂ）は、従来制御の第２の送風機の回転数の推移を示している。
図４（ｃ）は、本実施の形態の第１の送風機５Ａの回転数の推移を示している。
【００４１】
図４（ａ）に示すように、従来制御では、凝縮温度の上昇に応じて第２の送風機の回転数を落とさず、室内温度が入力装置ＲＣの設定温度を超えてしまっている。つまり、従来制御では、室内に加熱された空気を余分に供給しており、その分、省エネルギー性が低くなっている。一方、本実施の形態では、凝縮温度の上昇に応じて第２の送風機の回転数を落とすため、室内温度が入力装置ＲＣの設定温度を超えないように近づいていき、省エネルギー性が向上している。
【００４２】
［実施の形態の効果］
本実施の形態に係る空気調和装置１００の室内機１０２は、暖房運転を実行しているときに凝縮温度が予め定められた温度以上となった場合には、第１の送風機５Ａの現在の設定回転数を、現在の設定回転数よりも小さい補正後回転数へ、低下させるように構成されている。この補正後回転数は、凝縮温度の大きさに応じて定められる。凝縮温度が大きい程、補正後回転数は小さい。このため、室内機１０２は、室内に加熱された空気を余分に供給しなくて済む分、第１の送風機５Ａの消費電力を抑えることができ、省エネルギー性を向上させることができる。
【００４３】
［制御フローチャートの変形例］
図５は、図３に示す制御フローチャートの変形例である。なお、ここでは、本実施の形態との相違点を中心に説明するものとし、共通する構成については同じ符号を付している。図５のステップＳ１〜ステップＳ８は、図３のステップＳ１〜ステップＳ８と同様である。
【００４４】
本実施の形態では、図３に示す制御において、絞り装置４の開度は変更しなかった。本変形例では、図５のステップＳ９に示すように、ステップＳ８の後に、絞り装置４の開度を大きくするステップＳ９が追加されている。
【００４５】
具体的には、制御装置５０は、現在の設定回転数を補正後回転数へ低下させた場合には、絞り装置４の開度を大きくするように構成されている。これにより、第１の熱交換器５の凝縮温度が上昇しすぎないようにすることができる。つまり、第１の送風機５Ａの回転数を補正後回転数へ低下させると、第１の熱交換器５に供給される空気の流量が低下し、凝縮温度が上昇するように作用する場合がある。すると、第１の送風機５Ａの回転数を補正後回転数へ低下させると、凝縮温度が上昇して、更に、第１の送風機５Ａの回転数を補正後回転数へ低下させるといった事態が生じうる。こういった事態を回避するために、本変形例では、現在の設定回転数を補正後回転数へ低下させた場合には、絞り装置４の開度を大きくする。
【００４６】
制御装置５０は、現在の設定回転数を補正後回転数へ低下させるタイミングで、絞り装置４の開度を大きくする。これにより、より確実に、上述したような事態を回避することができる。ここで、現在の設定回転数を補正後回転数へ低下させるタイミングについて説明する。例えば、現在の設定回転数を補正後回転数へ低下させると同時に、絞り装置４の開度を大きくしてもよい。また、同時に限定されるものではなく、現在の設定回転数を補正後回転数へ低下させた直後に、絞り装置４の開度を大きくしてもよい。また、現在の設定回転数を補正後回転数へ低下させる直前に、絞り装置４の開度を大きくしてもよい。
【００４７】
［冷媒回路の変形例］
図６は、図１に示す冷媒回路の変形例である。なお、ここでは、本実施の形態との相違点を中心に説明するものとし、共通する構成については同じ符号を付している。
【００４８】
冷媒回路の構成は図１の態様に限定されるものではなく、図６に示す態様であってもよい。図６に示す変形例に係る空気調和装置５００は、例えば、ビル用マルチエアコンを想定している。空気調和装置５００は、室外機５０１と、室内機５０２とを備えている。空気調和装置５００には、複数の室内機５０２が設けられている。また、室外機５０１は、室外機１０１とは異なり、絞り装置４が設けられていない。その代わりに、各室内機５０２には、絞り装置４が設けられている。なお、各室内機５０２に絞り装置４を設け、更に、室外機１０１にも絞り装置が設けられている態様であってもよい。空気調和装置５００の冷媒回路ＣＣは、室外機５０１と複数の室内機５０２とが、冷媒配管Ｐ１及び冷媒配管Ｐ２を介して接続されている。図６に示す態様の空気調和装置５００であっても、本実施の形態に係る空気調和装置５００と同様の効果を得ることができる。
【符号の説明】
【００４９】
１  圧縮機、２  四方弁、３  第２の熱交換器、３Ａ  第２の送風機、４  絞り装置、５  第１の熱交換器、５Ａ  第１の送風機、５０  制御装置、５０Ａ  判定部、５０Ｂ  回転数補正部、５０Ｃ  目標温度算出部、５０Ｄ  出力制御装置、５０Ｅ  記憶部、１００  空気調和装置、１０１  室外機、１０２  室内機、５００  空気調和装置、５０１  室外機、５０２  室内機、Ｃ  冷媒回路、ＣＣ  冷媒回路、Ｄ１  凝縮温度検出部、Ｄ２  室内温度検出部、Ｐ１  冷媒配管、Ｐ２  冷媒配管、ＲＣ  入力装置、ＲＣ１  風量設定部、ＲＣ２  室内温度設定部、ＲＣ３  運転モード設定部、ＳＥ１  第１の凝縮温度センサー、ＳＥ２  室内温度センサー、ＳＥ３  第２の凝縮温度センサー、Ｖａ  バルブ。
【図１】
0006656400.tif 000002
【図２Ａ】
0006656400.tif 000003
【図２Ｂ】
0006656400.tif 000004
【図３】
0006656400.tif 000005
【図４】
0006656400.tif 000006
【図５】
0006656400.tif 000007
【図６】
0006656400.tif 000008